【手続補正書】
【提出日】平成18年12月20日(2006.12.20)
【手続補正１】
【補正対象書類名】明細書
【補正対象項目名】特許請求の範囲
【補正方法】変更
【補正の内容】
【特許請求の範囲】
【請求項１】  下記成分からなる燃料添加剤組成物：
（ａ）下記式で表される芳香族エステル化合物またはその燃料可溶性塩：
【化１】
2000192059.tif 000001
［式中、Ｒはヒドロキシ基、ニトロ基または−（ＣＨ2）x-ＮＲ5Ｒ6であって、Ｒ5およびＲ6は独立に、水素または炭素原子数１〜６の低級アルキル基であり、そしてｘは０または１であり；
Ｒ1は、水素、ヒドロキシ基、ニトロ基または−ＮＲ7Ｒ8であって、Ｒ7およびＲ8は独立に、水素または炭素原子数１〜６の低級アルキル基であり；
Ｒ2およびＲ3は独立に、水素、または炭素原子数１〜６の低級アルキル基であり；そして
Ｒ4は、平均分子量が約４５０〜５０００の範囲内にあるポリアルキル基である］；および
（ｂ）少なくとも１個の塩基性窒素原子を有し、炭化水素基の数平均分子量が約４００〜約１０００である脂肪族炭化水素置換アミン。
【請求項２】  Ｒがニトロ基、アミノ基または−ＣＨ2ＮＨ2である請求項１に記載の燃料添加剤組成物。
【請求項３】  Ｒがアミノ基または−ＣＨ2ＮＨ2である請求項２に記載の燃料添加剤組成物。
【請求項４】  Ｒがアミノ基である請求項３に記載の燃料添加剤組成物。
【請求項５】  Ｒ1が水素、ヒドロキシ基、ニトロ基またはアミノ基である請求項１に記載の燃料添加剤組成物。
【請求項６】  Ｒ1が水素またはヒドロキシ基である請求項５に記載の燃料添加剤組成物。
【請求項７】  Ｒ1が水素である請求項６に記載の燃料添加剤組成物。
【請求項８】  Ｒ2およびＲ3のうちの一方が、水素または炭素原子数１〜４の低級アルキル基であり、もう一方が水素である請求項１に記載の燃料添加剤組成物。
【請求項９】  Ｒ2およびＲ3のうちの一方が水素、メチル基またはエチル基であり、もう一方が水素である請求項８に記載の燃料添加剤組成物。
【請求項１０】  Ｒ2が水素、メチル基またはエチル基であり、Ｒ3が水素である請求項９に記載の燃料添加剤組成物。
【請求項１１】  Ｒ4が平均分子量が約５００〜３０００の範囲にあるポリアルキル基である請求項１に記載の燃料添加剤組成物。
【請求項１２】  Ｒ4が平均分子量が約７００〜３０００の範囲にあるポリアルキル基である請求項１１に記載の燃料添加剤組成物。
【請求項１３】  Ｒ4が平均分子量が約９００〜２５００の範囲にあるポリアルキル基である請求項１２に記載の燃料添加剤組成物。
【請求項１４】  Ｒ4がポリプロピレン、ポリブテン、または１−オクテンもしくは１−デセンのポリアルファオレフィンオリゴマーから誘導されたポリアルキル基である請求項１に記載の燃料添加剤組成物。
【請求項１５】  Ｒ4がポリイソブテンから誘導されたポリアルキル基である請求項１４に記載の燃料添加剤組成物。
【請求項１６】  ポリイソブテンが少なくとも約２０％のメチルビニリデン異性体を含有する請求項１５に記載の燃料添加剤組成物。
【請求項１７】  Ｒがアミノ基であり、Ｒ1、Ｒ2およびＲ3が水素であり、そしてＲ4がポリイソブテンから誘導されたポリアルキル基である請求項１に記載の燃料添加剤組成物。
【請求項１８】  成分（ｂ）の脂肪族アミンの炭化水素置換基の数平均分子量が約４５０〜約１０００である請求項１に記載の燃料添加剤組成物。
【請求項１９】  成分（ｂ）の脂肪族アミンが分枝鎖の炭化水素置換アミンである請求項１に記載の燃料添加剤組成物。
【請求項２０】  成分（ｂ）の脂肪族アミンがポリイソブチルまたはポリイソブテニルアミンである請求項１９に記載の燃料添加剤組成物。
【請求項２１】  脂肪族アミンのアミン部が、２〜１２個のアミン窒素原子および２〜４０個の炭素原子を持つポリアミンから誘導される請求項１９に記載の燃料添加剤組成物。
【請求項２２】  ポリアミンが、２〜１２個のアミン窒素原子および２〜２４個の炭素原子を持つポリアルキレンポリアミンである請求項２１に記載の燃料添加剤組成物。
【請求項２３】  ポリアルキレンポリアミンが、エチレンジアミン、ジエチレントリアミン、トリエチレンテトラアミンおよびテトラエチレンペンタアミンからなる群より選ばれる請求項２２に記載の燃料添加剤組成物。
【請求項２４】  ポリアルキレンポリアミンがエチレンジアミンまたはジエチレントリアミンである請求項２３に記載の燃料添加剤組成物。
【請求項２５】  成分（ｂ）の脂肪族アミンがポリイソブテニルエチレンジアミンである請求項２４に記載の燃料添加剤組成物。
【請求項２６】  成分（ｂ）の脂肪族アミンがポリイソブチルモノアミンである請求項２０に記載の燃料添加剤組成物。
【請求項２７】  ガソリンまたはディーゼル燃料の沸点範囲の沸点を有する主要量の炭化水素と、堆積物生成の抑制に有効な量の請求項１乃至２６のうちのいずれかの一項に記載の燃料添加剤組成物とからなる燃料組成物。
【請求項２８】  組成物が、約１００万分の１０〜２５００重量部の芳香族エステル化合物、および約１００万分の１０〜２５００重量部の脂肪族炭化水素置換アミンを含有する請求項２７に記載の燃料組成物。
【請求項２９】  組成物が更に、約１００万分の２５〜５０００重量部の燃料可溶性の不揮発性キャリヤ液を含有する請求項２７に記載の燃料組成物。
【請求項３０】  約１５０°Ｆ〜４００°Ｆの範囲の沸点を有する不活性で安定な親油性有機溶剤と、約１０〜約７０重量％の請求項１乃至２６のうちのいずれかの一項に記載の燃料添加剤組成物とからなる燃料濃縮物。
【請求項３１】  燃料濃縮物が更に、約２０〜約６０重量％の燃料可溶性の不揮発性キャリヤ液を含有する請求項３０に記載の燃料濃縮物。
【手続補正２】
【補正対象書類名】明細書
【補正対象項目名】００２８
【補正方法】変更
【補正の内容】
【００２８】
本発明はさらに、約１５０°Ｆ〜４００°Ｆ（約６５℃〜約２０５℃）の範囲の沸点を有する不活性で安定な親油性有機溶剤と、約１０〜７０重量％の本発明の燃料添加剤組成物とからなる燃料濃縮物を提供することにもある。
【手続補正３】
【補正対象書類名】明細書
【補正対象項目名】００３０
【補正方法】変更
【補正の内容】
【００３０】
【発明の実施の形態】
Ａ）ポリアルキルフェノキシアルカノールの芳香族エステル
本発明の添加剤組成物の芳香族エステル成分は、ポリアルキルフェノキシアルカノールの芳香族エステルであって下記一般式（Ｉ）を有するか、あるいはその燃料可溶性塩である。
【手続補正４】
【補正対象書類名】明細書
【補正対象項目名】０１２１
【補正方法】変更
【補正の内容】
【０１２１】
本発明の燃料添加剤組成物は、沸点が約１５０°Ｆ〜４００°Ｆ（約６５℃〜２０５℃）の範囲にある不活性で安定な親油性の（すなわち、ガソリンに溶解する）有機溶剤を用いて、濃縮物として配合することができる。好ましくは、脂肪族または芳香族炭化水素溶剤、例えばベンゼン、トルエン、キシレン、またはより高沸点の芳香族炭化水素または芳香族シンナーが用いられる。炭化水素溶剤と組み合わせて、イソプロパノール、イソブチルカルビノールおよびｎ−ブタノールなどの炭素原子数約３〜８の脂肪族アルコールも、本発明の添加剤と一緒に使用するのに適している。濃縮物において、添加剤の量は一般には約１０〜約７０重量％の範囲にあり、好ましくは１０〜５０重量％、より好ましくは２０〜４０重量％の範囲にある。
【手続補正５】
【補正対象書類名】明細書
【補正対象項目名】０１４６
【補正方法】変更
【補正の内容】
【０１４６】
［実施例８］単シリンダ・エンジン試験
試験化合物をガソリンにブレンドし、その堆積物低減能力についてＡＳＴＭ／ＣＦＲ単シリンダ・エンジン試験で求めた。
ウォーケシャＣＦＲ単シリンダ・エンジンを使用した。各試験を１５時間実施し、その終了時点で吸入弁を取り除いて、ヘキサンで洗浄し、そして計量した。試験終了時の弁の重量から、前に求めておいた清浄な弁の重量を差し引いた。２つの重量間の差異が堆積物の重量である。堆積物の量が少ないことは、優れた添加剤であることを示唆する。試験の操作条件は次のとおりである：ウォータ・ジャケット温度２００°Ｆ；吸気マニホルド真空圧１２インチＨｇ、空燃比１２、エンジンの点火時期４０°ＢＴＣ；エンジン速度は１８００ｒｐｍである；クランクケース油は市販のＳＡＥ３０油である。
各試験化合物について、吸入弁の炭素質堆積物の量をミリグラムにて表１に記す。